(57)【要約】【課題】  柱と、柱に取り付けたアームとを備え、意匠性が良好であって、かつ施工が容易な簡易構造物を提供する。【解決手段】  柱と、アームと、取付部材と、屋根とを備え、アームは、屋根を上側から吊って支持するものであり、取付部材は、空洞部を有しており、アームの端部が空洞部に挿入してあって通しボルトにより固定してあり、柱は中空部を有するもので、側面の上端部に、上側に開口する切欠部を形成してあり、切欠部は、取付部材より幅が狭くなっており、取付部材を上側から柱の中空部に嵌め込むとともにアームを切欠部に納めてある。【選択図】      図１
2014148819.tif 000002
【特許請求の範囲】
【請求項１】
柱と、アームと、取付部材と、屋根とを備え、アームは、屋根を上側から吊って支持するものであり、取付部材は、空洞部を有しており、アームの端部が空洞部に挿入してあって通しボルトにより固定してあり、柱は中空部を有するもので、側面の上端部に、上側に開口する切欠部を形成してあり、切欠部は、取付部材より幅が狭くなっており、取付部材を上側から柱の中空部に嵌め込むとともにアームを切欠部に納めてあることを特徴とする簡易構造物。
【発明の詳細な説明】
【技術分野】
【０００１】
本発明は、カーポートなどに代表される、柱と、柱に取り付けたアームとを備える簡易構造物に関する。
【背景技術】
【０００２】
従来、非特許文献１及び図７に示すように、左右の柱１０１とアーム１０２により屋根１０４を支持する上吊り型のカーポートがある。このカーポートにおいて、アーム１０２は、一端が柱１０１の上端部に固定され、前側に延びており、他端が屋根１０４の側枠１４４に固定されている。このうち一端側においては、図８に示すように、柱１０１の側面に支持金具１０３を取り付けてあり、支持金具１０３が前側に突出する二つの突出片１０３ａを有していて、二つの突出片１０３ａでアーム１０２を挟み込んでボルト止めしてある。
【先行技術文献】
【非特許文献】
【０００３】
【非特許文献１】「エクステリア総合カタログ２０１２−２０１３（ＳＴＸ０６５０Ａ）」、三協立山アルミ株式会社、２０１２年３月、ｐ．７７６、７７７
【発明の概要】
【発明が解決しようとする課題】
【０００４】
しかしながら、このような構成のカーポートにおいては、アームを固定するための支持金具が露出しており、意匠性が好ましくなかった。また、アームと柱は何れも長尺の部材であるから、両者を固定する際に、アームのボルト孔と支持金具のボルト孔とを一致させる作業がやりづらいものであった。
【０００５】
本発明は、上記事情を鑑みたものであり、柱と、柱に取り付けたアームとを備え、意匠性が良好であって、かつ施工が容易な簡易構造物を提供することを目的とする。
【課題を解決するための手段】
【０００６】
本発明は、柱と、アームと、取付部材と、屋根とを備え、アームは、屋根を上側から吊って支持するものであり、取付部材は、空洞部を有しており、アームの端部が空洞部に挿入してあって通しボルトにより固定してあり、柱は中空部を有するもので、側面の上端部に、上側に開口する切欠部を形成してあり、切欠部は、取付部材より幅が狭くなっており、取付部材を上側から柱の中空部に嵌め込むとともにアームを切欠部に納めてあることを特徴とする。なお、アームは、柱から延びる長尺の部材であって、柱から離れた位置で屋根を上側から支持するためのものである。
【発明の効果】
【０００７】
本発明によれば、取付部材が柱の中空部内に納まって外部からは見えなくなり、柱の側面からアームが突出するような外観となるので、意匠性が良好である。また、切欠部の幅が取付部材より狭くなっているので、取付部材を柱の中空部に嵌め込めば、アームが抜け落ちることはなく、ボルト止めしていない状態でも仮置きできる。さらに、取付部材が柱の中空部に嵌め込まれることで、柱に対して取付部材が回転せず、仮置き状態においてアームが自重で下がることもない。そして、仮置き状態において柱とアーム及び取付部材との位置関係が固定されるので、ボルト孔を合わせる作業も必要なく、ボルト止め作業が容易である。また、取付部材を柱の中空部に挿入することにより、柱の補強を兼ねることになり、連結部の剛性が確保される。さらに、アームと取付部材の連結に際しては、取付部材の空洞部にアームの端部を挿入して通しボルトによりボルト止めする構成であるから、連結が容易であり、また、アームの断面形状が円形や楕円形など、取付部材に当接する平面を有さない場合でも、安定して固定できる。そして、通しボルトによる固定であるから、ボルトに対してボルト孔が大きくクリアランスがあり、固定後であっても、取付部材に対してアームをある程度動かすことができるので、アームに屋根を取り付ける作業も容易となる。
【図面の簡単な説明】
【０００８】
【図１】柱とアームの取付部分の分解斜視図である。
【図２】柱とアームの取付部分を示し、（ａ）は平面図、（ｂ）は側面図、（ｃ）は正面図である。
【図３】簡易構造物の正面図である。
【図４】簡易構造物の側面図である。
【図５】柱と梁の取付部分を示し、（ａ）は平面図、（ｂ）は側面図である。
【図６】アームと梁の取付部分を示し、（ａ）は側面図、（ｂ）は正面図である。
【図７】従来の簡易構造物の側面図である。
【図８】従来の簡易構造物の柱とアームの取付部分の分解斜視図である。
【発明を実施するための形態】
【０００９】
以下、本発明の実施の形態を図面に基づいて説明する。本発明の簡易構造物は種々の用途に用いられるが、ここではカーポートの場合を示す。なお、以下において上下左右とは図３における上下左右を示し、図３の手前側を前側、奥側を後側とする。この簡易構造物は、図３及び図４に示すように、柱１と、アーム２と、屋根４とを備えるものである。柱１は、中空のアルミ形材からなるもので、左右方向に三本、等間隔に並んで設置してある。図２（ａ）に示すように、柱１の断面形状は前後に長い略矩形であり、内周側に中空部１１を有するが、左側面と右側面の前後方向中央部分がそれぞれ外周側に凸形に突出している。すなわち、中空部１１は、前側部分及び後側部分よりも中央部分の方が、左右幅が広くなっている。そして、各柱１の上端部の前側面から、アーム２が前側下方に向けて延びている。アーム２は、中空のアルミ形材からなるもので、図２（ｃ）に示すように、断面形状は円形である。円形にすることにより、最小の断面積で必要強度を確保している。さらに、各アーム２には、前後に延びる梁４１が取り付けてある。より詳しくは、梁４１は前側から後側に向けて下方に傾斜しており、梁４１の前端から略１／３の箇所が、アーム２の前端に連結してあり、梁４１の後端が、柱１の上端から略１／４の箇所に連結してある。そして、各梁４１の下面の前端及び後端に、左右に延びる前枠４２及び後枠４３を取り付けてあり、さらに前枠４２及び後枠４３の左端及び右端に、それぞれ側枠４４を取り付けて四周枠組みしてある。そして、このように四周枠組みした前枠４２、後枠４３及び側枠４４に対して、野縁４５やパネル材４６を取り付けて屋根４を構成してある。なお、自動車を入れる方向は、前側と左右側のどちらであってもよい。
【００１０】
次に、柱１とアーム２の取付部分について詳述する。図１及び図２に示すように、柱１の上端部の前側面には、切欠部１２を形成してある。切欠部１２は、上側に向けて開口するものであって、下側は半円弧状に形成されている。切欠部１２の左右方向幅はアーム２の直径に略等しく、半円弧状部分はアーム２の外形に略一致し、アーム２が丁度嵌まる。一方、アーム２の後端には、取付部材３を取り付けてある。取付部材３は、中空のアルミ形材からなるもので、図２（ｃ）に示すように、断面形状は上下に長い矩形であり、内周側に空洞部３１を有し、前後方向に開口する向きである。取付部材３の空洞部３１の左右方向幅は、アーム２の直径に略等しく、アーム２が丁度嵌まる。よって、取付部材３の左右方向幅（外寸）は、アーム２の直径及び切欠部１２の左右方向幅よりも長くなっている（切欠部１２の左右方向幅が、取付部材３より狭くなっている）。また、図２（ｂ）に示すように、取付部材３を側面視した形状は正方形である。この取付部材３の空洞部３１に前側からアーム２の後端を挿入してあり、取付部材３とアーム２にはそれぞれ二つのボルト孔を形成してある。このボルト孔は、ボルト３２に対して大きく形成されていてクリアランスが確保されており、二本のボルト３２が各ボルト孔に挿入されて取付部材３及びアーム２を右側から水平方向に貫通していて通しボルトとなっており、左側からナット３３を締めて固定してある。そして、取付部材３を、上側から柱１の中空部１１に嵌め込むとともに、アーム２を切欠部１２に納めてある。取付部材３の前後方向幅及び左右方向幅は、何れも柱１の中空部１１の前後方向幅及び左右方向幅（前側部分及び後側部分）に略等しく、柱１の中空部１１に取付部材３が丁度嵌まり、柱１の左側面及び右側面からボルト止めしてある。この際、取付部材３とアーム２を固定しているボルト３２とナット３３は、取付部材３の左右側面から突出しているが、これらは中空部１１の前後方向中央の幅広の部分に納まるので、柱１と干渉することはない。なお、ボルト３２の長さが、取付部材３の左右方向幅と、柱１の中空部１１の右側（ボルト３２の頭部側）の突出幅の和よりも長くなっており、ナット３３が脱落した場合でも、ボルト３２が取付部材３から抜けないようになっている。また、アーム２も切欠部１２に丁度嵌まっており、アーム２が切欠部１２に引っ掛かることにより、取付部材３及びアーム２の下方への移動が規制されている。さらに、図１、図２（ｂ）、（ｃ）に示すように、取付部材３を嵌め込んだ柱１の上端に、柱キャップ１３を取り付けてある（図２（ａ）では省略してある）。柱キャップ１３は、略平板形状の上面部１３ａと、上面部１３ａの前側端から下方に向けて延びる側面部１３ｂからなる。上面部１３ａは、柱１の上端の開口部とほぼ同じ形状で、柱１の上端を塞いでおり、側面部１３ｂは、切欠部１２とほぼ同じ左右方向幅であって下端部は半円弧状に形成されていて、アーム２の上側の切欠部１２を塞いでいる。なお、柱キャップ１３は、前側部分において取付部材３にネジ止めしてあり、後側部分において柱１の後側面にネジ止めしてある。
【００１１】
次に、梁４１と、柱１及びアーム２との取付部分について、それぞれ詳述する。まず、梁４１と柱１については、図５に示すように、柱連結部材５によって連結してある。柱連結部材５は、平面視した形状が略Ｈ形の金具であり、二つのコ字形部５１ａ，５１ｂがそれぞれ前側及び後側に向けて開口している。そして、前側のコ字形部５１ａが梁４１の後端を後側からくわえ込み、後側のコ字形部５１ｂが柱１の上端から略１／４の箇所を前側からくわえ込んでおり、それぞれ左右方向にボルトを貫通させてボルト止めしてある。なお、柱１の中空部１１の、柱連結部材５を取り付けた高さ位置には、補強部材６を挿入して強度を高めてある。この補強部材６は、取付部材３と全く同じものを共用しているが、中空部が上下方向に開口する向きとなっている（側面視した形状が正方形であるから、どちらの向きでも同様に挿入できる）。
【００１２】
また、梁４１とアーム２については、図６に示すように、アーム連結部材７によって連結してある。アーム連結部材７は、正面視した形状が略Ｈ形の金具であり、二つのコ字形部７１ａ，７１ｂがそれぞれ下側及び上側に向けて開口している。そして、下側のコ字形部７１ａが梁４１の前端から略１／３の箇所を上側からくわえ込み、上側のコ字形部７１ｂがアーム２の前端を下側からくわえ込んでおり、それぞれ左右方向にボルトを貫通させてボルト止めしてある。なお、アーム２の前端部には円盤形状のアームキャップ２１をネジ止めしてあり、アーム２の開口部を塞いである。また、梁４１の前端部には梁キャップ４７をネジ止めしてあり、梁４１の開口部を塞いである（図４）。
【００１３】
このように構成した簡易構造物によれば、柱１とアーム２の取付部分において、取付部材３が柱１の中空部１１内に納まって外部からは見えなくなり、柱１の側面からアーム２が突出するような外観となるので、意匠性が良好である。また、切欠部１２の左右方向幅が取付部材３より狭くなっているので、取付部材３を柱１の中空部１１に嵌め込めば、取付部材３が切欠部１２の周縁部に係合してアーム２が抜け落ちることはなく、ボルト止めしていない状態でも仮置きできる。さらに、取付部材３の前後方向幅及び左右方向幅が、何れも柱１の中空部１１の前後方向幅及び左右方向幅に略等しく、柱１の中空部１１に取付部材３が丁度嵌まるので、柱１に対して取付部材３が回転しない。特に、取付部材３にはアーム２が取り付けてあることにより回転力（図２（ｂ）において時計回り）が働くが、取付部材３の小口面（前側面及び後側面）が柱１の前側面及び後側面に内側から当接しているので、回転が確実に防止され、仮置き状態においてアーム２が自重で下がることもない。そして、仮置き状態において柱１とアーム２及び取付部材３との位置関係が固定されるので、ボルト孔を合わせる作業も必要なく、ボルト止め作業が容易である。また、取付部材３が断面略矩形の形材からなるものであるから、それ自身の剛性が高く、これを柱１の中空部１１に挿入することにより、柱１の補強を兼ねることになり、連結部の剛性が確保される。さらに、アーム２と取付部材３の連結に際しては、取付部材３の空洞部３１にアーム２の端部を挿入して通しボルトによりボルト止めする構成であるから、連結が容易であり、また、アーム２の断面形状が円形で取付部材３に当接する平面を有さないにもかかわらず、安定して固定できる。そして、水平方向に貫通する通しボルトによる固定であって、ボルト３２に対してボルト孔が大きくクリアランスがあるから、固定後であっても、取付部材３に対してアーム２をある程度上下方向に動かして角度調整することができるので、アーム２に屋根４（梁４１）を取り付ける作業も容易となる。なお、このように連結部分が動くものであっても、完成状態では、柱１と、アーム２と、梁４１とで三角形を構成することにより、各部材は相互に固定されて強固な構造となるので問題はない。
【００１４】
本発明は、上記の実施形態に限定されない。たとえば、柱やアームの本数は、簡易構造物の大きさ（カーポートであれば駐車台数）に応じて適宜増減できる。また、アームは、下方に傾斜して延びるもののほか、水平向きのものや、上方に傾斜して延びるものであってもよい。さらに、アームの断面形状については、円形のほか、楕円形や矩形などであってもよく、どのような形状であっても、容易かつ確実に取付部材を固定することができる。また、取付部材は、形材からなるもののほか、鋳物からなるものであってもよく、その断面形状は、矩形のほか、円形や楕円形などであってもよい。そして取付部材は、上記のように柱の中空部に丁度嵌まって全く回転できないもののみならず、何処かの最大長が柱の中空部の前後方向（アームが挿入される方向）の幅よりも長いことにより、一定角度以上は回転できないものであれば、仮置き状態においてアームが脱落しない。さらに、梁と、柱及びアームの取付構造については、一例を示したものであり、必要強度や、施工性、意匠性などを考慮して自由に設定できる。また、この簡易構造物は、カーポート以外に、テラスやバルコニーなどとして使用するものであってもよい。
【符号の説明】
【００１５】
１  柱
２  アーム
３  取付部材
４  屋根
１１  中空部
１２  切欠部
３１  空洞部
【図１】
2014148819.tif 000003
【図２】
2014148819.tif 000004
【図３】
2014148819.tif 000005
【図４】
2014148819.tif 000006
【図５】
2014148819.tif 000007
【図６】
2014148819.tif 000008
【図７】
2014148819.tif 000009
【図８】
2014148819.tif 000010